(57)【要約】【課題】音声送信の際の快適ノイズ生成の処理を提供すること。【解決手段】検出された各有効期間の終わりに続いて、無音記述フレーム（ＳＩＤ）が生成され（１００）一組のパラメータが快適ノイズを記述する。連続的な現行無効フレームのそれぞれに対し、周波数スペクトル（ＳＦｃ）が分析され（１０１）、予め蓄積されている（１０３）基準用スペクトル（ＳＦｒ）と比較される（１０２）。基準用周波数スペクトル（ＳＦｒ）と現フレーム・スペクトル（ＳＦｃ）が同一である場合には、新しいフレーム（ＳＩＤ）は送信されない（１０５）。これらのスペクトル（ＳＦｒ、ＳＦｃ）が同一でない場合には、新しいフレーム（ＳＩＤ）が送信される（１０４）。不連続音声のディジタル送信に対応する応用。【選択図】図２
2004177978.tif 000002
【特許請求の範囲】
【請求項１】
予測型の音声符号化器を備え、過去のフレームとこの音声符号化器により与えられる長期予測データＬＴＰとから発する特定の数の励起標本に基づいた、不連続音声のディジタル送信システムの中の快適ノイズ発生器で使われる励起信号を合成する方法であって、
−  Ｎ個の標本を含む現在の各々の無効フレームを、それぞれＮ／Ｌ個の連続する標本を含むＮ／Ｌ個のブロックへと細分化し（１２０１、１２０７）；
−  Ｌ個の長期予測励起標本ｅＬＴＰ（ｎ）を得るために、過去のフレームから発せられる上記の励起標本を用いて長期予測のパラメータの符号を無作為に描き（１２０２）；
−  上記の波形のＬ個の標本ｕ（ｎ）を得るために、新規の波形の符号を無作為に描き（１２０３）；
−  利得値βをこの利得の量子化索引から決定し；
−  現在のブロックの標本を更新することにより、励起信号ＥＸｃを決定し、上記の励起信号は利得値βに基づいて長期予測ｅＬＴＰ（ｎ）の、また新規の波形ｕ（ｎ）の線形の組み合わせとして現フレームに対して定義される、
各処理から構成されることを特徴とするディジタル音声伝送システムにおける快適ノイズ生成方法。
【請求項２】
利得値βが新規波形と関連するところで特徴が決まり、上記の利得値は、現在のブロックに渡って、
【数１】
2004177978.tif 000015
を最適化する評価基準に基づいて、希望する値ｇｔ２にできるだけ近い標本毎の平均エネルギーを得ることを可能にするような量子化索引を選択することにより得られるような処理であり、
上記の線形の組み合わせは、ｎ＝ｊＬ＋ｋであり、ｋは０からＬ−１まで変化する前提における
ＥＸｃ（ｊＬ＋ｋ）＝ｅＬＴＰ（ｊＬ＋ｋ）＋βｕ（ｊＬ＋ｋ）
を満足する励起信号ＥＸｃを定義する
ことを特徴とする請求項１に記載のディジタル音声送信システムにおける快適ノイズ生成方法。
【請求項３】
上記の利得値βが長期励起と新規の波形に関連し、それぞれ関連づけられた利得値β１、β２に基づいて重み付けをすることにより特徴づけられるところの処理であって、上記の利得値は、現在のブロックに渡って、
【数２】
2004177978.tif 000016
を最適化する評価基準に基づいて、希望する値ｇｔ２にできるだけ近い標本毎の平均エネルギーを得ることを可能にするような量子化索引を選択することにより得られるような処理であり、
上記の線形の組み合わせは、ｎ＝ｊＬ＋ｋであり、ｋは０からＬ−１まで変化する前提における
ＥＸｃ（ｊＬ＋ｋ）＝β１・ｅＬＴＰ（ｊＬ＋ｋ）＋β２・ｕ（ｊＬ＋ｋ）
を満足する励起信号ＥＸｃを定義する
ことを特徴とする請求項１または２のいずれかに記載のディジタル音声送信システムにおける快適ノイズ生成方法。
【発明の詳細な説明】
【技術分野】
【０００１】
本発明は、不連続な音声のディジタル送信のためのシステムにおける快適ノイズ（Ｃｏｍｆｏｒｔ  ｎｏｉｓｅ）の生成の方法に関するものである。
【背景技術】
【０００２】
一般的に言って、不連続な音声の送信のためのシステムは音声活性化モジュールを備えているが、これは音声信号の有無に関する合図を与えることを可能にする。前記のシステムで与えられる音声信号は従ってその前か後に適当な無音を伴った上記の音声信号から成る。無音か休止が検出されると、送信システムは送信速度を下げるか単純に送信を停止するかを命令される。
通信の環境ノイズが高いときは、無効期間の間に、特性の突然の抑制もしくは緩和という、聞く側にとって非常に不愉快な効果を生じ、この効果はおそらく通信が中断したという印象を引き起こすであろう。さらに、音声信号は時に明瞭さの限界にまで達する。
上記の欠点を直すには、かなり最近になって提案されているのが無効期間の間に送信が妨害される前に当面の背景ノイズを再現するような合成信号を挿入する方法である。一例として、全速度および半速度の欧州自動車ラジオ・システムのための仕様作成の状況において実行された結果を引用する。
【０００３】
全速度欧州自動車ラジオ・システムにより「ＥＴＳＩ  ＧＳＭ  ０６．１２勧告」の主題が作られた。このシステムには快適ノイズ発生器ＣＮＧが含まれている。さらにこれには２０ｍｓ毎に２６０ビット以上の符号化済みのパラメータ・フレームを作り出す音声符号化器が含まれている。音声活性検出器は各フレームにおいて、フレームの有効あるいは無効な特質／符号に関する合図を与える。励起ブロックの強度パラメータと符号化器のＬＰＣ分析から発せられる対数領域比（ＬＡＲ）とが、環境ノイズの周波数スペクトル（ＬＡＲ）のレベルあるいは強度と包絡線に関する合図を供給する。快適ノイズ生成器は指定された数の連続するフレームに渡ってこれらのパラメータの平均を取り、音声符号化器で使われる量子化手続きによってこれらを量子化し、無音記述フレームであるＳＩＤフレーム（無音銘記述子）を生成する。そのようなフレームが有効フレームの終わりと各無効期間の４８０ｍｓ毎に生成される。ＳＩＤフレームは符号化され、ＳＩＤフレームであることの印をはっきりさせるＳＩＤの符号語を供給され、それから復号化器に向けて送信される。快適ノイズは復号化器において、無作為に励起のパラメータの符号を引き出し、長期予測の利得符号の零点規正をし、ＬＰＣ分析と励起ブロックの強度に対応する符号をＳＩＤフレームの符号でもって置き換える。無効フレームの復号化が次に音声フレームと同様に行われる。そのような装置において、快適ノイズ発生器のモジュールは音声符号化器や復号化器の外部にあるが、このことの長所は無効フレームの処理の複雑さが増加することを犠牲にしてもシステムのモジュール化が促進されることである：符号化器におけるＳＩＤフレームの計算と励起の符号の無作為配列とが音声フレームの通常の処理に加えられる。さらに、送信側における音声符号化器のみにある復号化器と、受信側における遠距離復号化器とは、符号化器の動作がシステムとは独立しているので無効期間の後はもはや同期しない。半速度欧州自動車ラジオ・システムには、また全速度システムに似た構成の快適ノイズ生成器があり、これについては「ＥＴＳＩ  ＧＳＭ  ０６．２２及び０６．２０勧告」を参照されたい。全速度システムのＣＮＧ生成器による手続きと同様な方法によって、ＣＮＧ生成器は８つの連続するフレームに渡って環境ノイズのスペクトルを評価するために、入力信号、音声信号の自動相関を使用する。エネルギーに関して、これらの８フレーム分のエネルギーを考慮し、実際のエネルギーとパラメータＧＳに対して見積もられたエネルギーの比のパラメータを量子化する。「ＥＴＳＩ  ＧＳＭ  ０６．２０勧告」を参照されたい。さらに、音声符号化器は遠距離復号化器と同期して無効期間の間、動作するように変えられ、乱数発生器は無効領域の各開始時に再初期化される。
【０００４】
最後に、多速度符号化器を与えられたシステムが提案されており、この動作は特殊な動きのモード時においてＣＮＧの動作に似ている。それらの中に、以下の出版物に記載される多速度符号化器が引用されうる、Ａ．Ｄｅ  ＪＡＣＯ，Ｗ．ＧＡＲＤＮＥＲ，Ｐ．ＪＡＣＯＢＳ，ＣＨＯＮＧ  ＬＥＥ著「ＱＣＥＬＰ：Ｔｈｅ  Ｎｏｒｔｈ  Ａｍｅｒｉｃａｎ  ＣＤＭＡ  Ｄｉｇｉｔａｌ  Ｃｅｌｌｕｌａｒ  Ｖａｒｉａｂｌｅ  Ｓｐｅｅｃｈ  Ｃｏｄｉｎｇ  Ｓｔａｎｄａｒｄ」Ｐｒｏｃ．ＩＥＥＥ  Ｗｏｒｋｓｈｏｐ  ｏｎ  Ｓｐｅｅｃｈ  Ｃｏｄｉｎｇ  ｆｏｒ  Ｔｅｌｅｃｏｍ，  Ｑｕｅｂｅｃ，  Ｏｃｔ．１９９３，  ｐｐ．５−６
。そのようなシステムにおいて音声活性検出タイプの装置は送信に必要な速度を決定する。標本毎に１，１／２，１／４，１／８の４種の速度比が可能である。送信は妨害されず、送信されるパラメータはＬＰＣ係数によるスペクトルの包絡線と、励起エネルギーに関する指標とである。これらのパラメータは各フレーム毎に送信され、最も遅い速度のシステムはＣＮＧ生成器によるのと類似の機能を示す。
【０００５】
さらに、Ａ．ＧＲＯＳＳＭＡＮが以下の書物で記したシステムが引用され得る。「Ａ  Ｈｉｇｈ  Ｐｅｒｆｏｒｍａｎｃｅ  Ａｕｄｉｏ  Ｃｏｄｅｃ  ｆｏｒ  Ｖｉｄｅｏｃｏｎｆｅｒｅｎｃｉｎｇ」ＩＣＳＰＡＴ，  Ｓａｎｔａ  Ｃｌａｒａ，  Ｏｃｔ．９３，ｐｐ．１０３９−１０４２。そのような可変速度の広帯域システムにおいては、変換済みの係数をノイズ符号により置き換える手続きが使われる。しかし、信号のスペクトル包絡線が再び送信され、フレーム内部のスムージングが行われる。
【発明の開示】
【発明が解決しようとする課題】
【０００６】
この発明によれば、音声のディジタル送信のためのシステムにおける快適ノイズを生成する方法と装置の目的は、合成の質の程度を高速度システムのそれに比肩するまで到達させ、一方、システムの送信速度を高度に減速されたものと同じくらいにまで許すことである。
本発明のもうひとつの目的はさらに、良質の、環境媒体を代表し、一方この生成を確かにするために送信されるデータの量と速度を最適化する快適ノイズを生成することである。
【課題を解決するための手段】
【０００７】
不連続音声のデジタル送信をするシステムで快適ノイズを作る方法と装置において、符号化済みの音声信号が有効期間の間に送信され、この有効期間の間に有効フレームが送信され、各有効期間の後には無効期間が続き、無効期間の間には少なくとも無効フレームが送信されるような方法と装置が本発明の主題であり、それらがあるところにおいて顕著であり、無効期間を検出した時にその送信端において以下の各項をそれぞれ備え、
−  快適ノイズを記述する一組の符号化済みのパラメータから成る無音記述フレームの生成と送信をし、この無音記述フレームはこの有効期間に続く無効期間の最初の無音記述フレームとなるものであり、
この無効期間の連続する各現在の無効フレームに対して、
−  この無効フレームの周波数スペクトルを分析し蓄積し、
−  この現在の無効フレームの周波数スペクトルを基準用と現フレーム周波数スペクトルを認識する基準によって、基準用周波数スペクトルと比較し、
−  この現在の無効フレームの間、基準用と現フレーム周波数スペクトルが無い時の基準によって、送信を、特に新しい無音記述フレームの送信を延期し、
−  この現在の無効フレームの間、新しい無音記述フレームの生成と送信を行い、これにより快適ノイズの送信速度を、先行する無音記述フレームの間に見積もられた基準用スペクトルとは異なる周波数スペクトルを持つ無音記述フレームの送信速度にまで減ずることを可能にする。
本発明の主題であり、音声復号化器と接続され、受信端において、以下の各項を備えそれらがあるところにおいて同様に顕著であるような方法と装置。
−  復号化済みのパラメータを生成するために、各連続する無音記述フレームに対し、快適ノイズを記述する符号済みのパラメータの組を復号化し、
−  音声復号化器のレベルにおいて、復号化済みのパラメータの処理の後に、対応する快適ノイズを合成する。
【発明を実施するための最良の形態】
【０００８】
従来技術に関する図１は別にして、下記の図を見て説明を読むと、より良く理解されるであろう。
−  図２は、送信端において本発明の主題に従って快適ノイズを生成する処理を実行させる一連の必須のステップを図解によって表している。
−  図３は、無音記述フレームの好ましいモードをフローチャート様式で表している。
−  図４は、受信端において本発明の主題に従って快適ノイズを生成する処理を実行させる一連の必須のステップを図解によって表している。
−  図５は、音声符号化器がＬＰＣフィルタを備えた予測型である場合に、快適ノイズを生成する処理を実行させる一連の必須のステップを図解によって表している。
−  図６は、本発明の主題に従って、送信端において快適ノイズを生成する装置の図を機能ブロックの様式で図解により表している。
−  図７は、本発明の主題に従って、音声符号化器が予測型であるようなより特殊な場合に、送信端において快適ノイズを生成する装置の図を機能ブロックの様式で図解により表している。
−  図８は、図７で表される装置で使われている快適ノイズ生成器の具体例の詳細を表している。
−  図９は、無音記述フレームに対し、送信あるいは非送信命令信号を作る一連のステップの組を、機能フローチャートの様式で表している。
−  図１０は、無音記述フレームの作成とコーディングと送信の一連のステップの組を、機能フローチャートの様式で表している。
−  図１１は、一実施形態に従って励起信号を作る一連のステップの組を、機能フローチャートの様式で表している。
−  図１２は、本発明の主題に従って、受信端において快適ノイズを生成する装置の図を機能ブロックの様式で図解により表している。
−  図１３は、図１２で表される装置で使われている快適ノイズ生成器の具体化の詳細を表している。
【０００９】
本発明の主題である快適ノイズの生成の処理は先に述べられた図と共に、より詳細に記述されるであろう。
処理特有の話をする前に、最初に、従来技術に関する図１と共に思い出されるのは、音声のディジタル送信のためのシステムにおける従来からある快適ノイズ生成用装置は送信端において音声符号化器に加えて音声活性復号化器と先述したＶＡＤとＣＮＧ生成器とを含んでいる。この組み合わせは送信端において、送信チャネルについての記述中に先にかかれている方法の内の一つに従って、無音記述フレームかＳＩＤフレームを周期的に送信することを可能にしている。
受信端において、送信端で使われる音声符号化器もまた予測型の符号化器である時に、予測型の復号化器である音声復号化器は、送信された時に音声信号を各ＳＩＤフレーム別に復号化し、受信端においてＣＮＧ生成器の効により対応する快適ノイズをつくることを可能にしている。
【００１０】
このようにして、図２でさらに表されたように、音声のディジタル送信は不連続モードで実行され、従って符号化済みの音声信号フレームが送信される連続的な有効期間から成るこの送信は、無効期間がインターカットされ、その間に送信される音声信号フレームは無い。これらの期間のそれぞれの時間は、送信が非同期であるという特徴からその長さが任意である。
このようにして、前記の図２でさらに述べるように、本発明の手段である快適ノイズを生成する処理は本発明の主題であって送信端で実行され無効期間の検出の後に続く。無効期間の検出は、例えばタイムディレーが掛けられた音声活性検出器ＶＡＤにより与えられる信号を基準として実行され得るもので、無効期間が効果的に通過するように上記に対して時間遅れが加えられる。この時間遅れはまた、検出期間の時間を考慮するように、図２に表されるように、発明に従って処理の正確な実行が確かにされるように調節され得るものである。上述の図２において、検出期間は、関連する有効期間に続いて点線で区切られる間隔によって表される。
【００１１】
各無効期間の検出に続いて、本発明の主題である処理は、上述の検出期間の終わりである図２のステップ１００において、ＳＩＤかあるいは無音記述フレームを生成し送信する。この無音記述フレームは快適ノイズを記述する一組の符号化済みのパラメータから成る。事実、この無音記述フレームは上記の有効期間と検出期間に続く無効期間の最初の無効フレームを構成する。
かくして、さらに図２において述べられるように、本発明の主題である処理は次に、この無効期間における連続する現在の無効フレームの各々に対してステップ１０１においてこれに関した現在の無効フレームの周波数スペクトルを分析し蓄積することにある。前記無効フレームにおける周波数スペクトルは、ステップ１０２において基準周波数スペクトルと比較される。これを得るための処理のないようは後述する。
基準用と現在フレームの周波数スペクトルが同一である場合は、上述のステップ１０２で表現されているように、発明に関する処理は送信、特に新しい無音記述フレーム，ＳＩＤフレームの送信を遅らせるか、基準用と現在フレームの周波数スペクトルが同一で無い場合は、ステップ１００における生成と送信において
、このステップ１００は各ＳＩＤフレームに対してこの現無効フレームの間の新しい無音記述フレームである最初のＳＩＤフレームで使用されたのと同じ手法に従って実行される。図２において、新フレームの送信の延期は、基準用と現フレーム周波数スペクトルが同一である場合は基準１０４を持つものと示される。
【００１２】
概して、本発明の主題である処理は、快適ノイズの送信速度を、その周波数スペクトルが先行する無音記述フレームのそれと異なるような無音記述フレームの速度にまで減じることを可能にすると示している。
本発明の主題であるところの快適ノイズを生成する処理の特殊な具体例において、基準用周波数スペクトルは各無音記述フレームの生成中に得られる環境ノイズの周波数スペクトルから作られ得ると示している。このようにして、図２で表されるような本発明の主題である処理は、各ＳＩＤフレームの基準用周波数スペクトルを得ることを可能にするところの環境ノイズを蓄積するステップである１０３を包含し得ると理解される。
【００１３】
本発明の主題である処理の初期化に関して、無音記述フレームに対する送信決定はこの場合、現フレームの周波数スペクトルと基準用スペクトルの比較に依存しないので、無効期間の最初の無効フレームに対し、基準用スペクトルの使用は的外れであると示されている。この最初のＳＩＤフレームの間、この基準用スペクトルであるＳｆｒは見積りがされるか、好都合に、ＳＩＤフレームを工夫するために計算される基準用スペクトルから直に得られ、また、連続的な無効フレームの処理のために蓄積される。この基準用スペクトルは、無効フレームの最初のＳＩＤフレームにおいて初期化に使用されたのと同じ方法により、送られてきた新しい無音記述フレームを使ってリフレッシュされる。
ＳＩＤフレーム毎に計算され、また基準用周波数スペクトルを構成し得る周波数スペクトルの見積りは図３と共に記述されるであろう実施形態に従って実行され得る。
【００１４】
図３の具体化において、本発明の主題であるところの処理は、各ＳＩＤフレームを環境ノイズの変更に適合させ、それに従いＳＩＤフレームを作る時にこれらの変更のある特殊な要素を考慮に入れることを過去にもそうであったように可能にするところの特別手続きに従って各無音記述フレームやＳＩＤフレームを確定することにある。
かくして、図３に表されたように、各無音記述フレームを達成する手続きは過去の平均周波数スペクトルを確定するために、連続的な無効フレームの平均周波数スペクトルを決定してなるステップを含み得るものであり、このステップは図３中の１０４１を参照されたい。
この場合、過去の平均周波数のスペクトルＳｍｐは式（３）を満足する。
【数１】
2004177978.tif 000003
この式（３）において、複数の無効な連続するフレームに対して、ＳＦ１，ＳＦｉ，ＳＦｎと記述されたものは、その周波数スペクトルはＳＦｃと記述されるところの現在の無効フレームに先行し、この過去の平均周波数スペクトルはｎ個の連続する無効フレームのｎ個の周波数スペクトルに渡る算術平均に対応する。
【００１５】
ＳＩＤフレームの生成は次のステップ１０４２において実行される。
上述のステップ１０４２は過去の平均周波数スペクトルの同一性と、式（４）に表される現在の無効フレームの周波数スペクトルとのテストから成る。
【数２】
2004177978.tif 000004
同一性の基準は比較される周波数スペクトルの厳格な同一性には対応せず、対応の法則か基準を確立することが可能であると示されている。このステップは、実際、周波数スペクトルの局所的不動性の測定を実行することが可能にする。
上記の周波数スペクトルが同一かどうかの基準に基づいて、本発明の主題である処理は、無音記述フレームＳＩＤと過去の平均スペクトルＳＦｍｐの１０４３を選び、また上記の周波数スペクトルが同一でない場合は、１０４４において対応する現在の無効フレームの周波数スペクトルを選ぶ。
この動作のモードは特別に有利な方法でもって現在の各無効フレームの無音スペクトルを見積もることを可能にするが、この時そのようなフレームが局所的不動性スペクトル領域に属するかあるいは非不動性スペクトル領域に属するかによる。
【００１６】
もちろん、過去の平均スペクトルの計算結果が任意であるような連続的な無効フレームの数であるｎは、たとえば後者は１００ｍｓの単位で対応する時間間隔を得るために等しく取られ得る。さらに、このように構成される無音記述フレームＳＩＤは送信に先だって量子化の処理を受けさせられると示されている。
不連続音声のディジタル送信のためのシステムで快適ノイズを生成する処理のより詳細な記述は、本発明の主題に従って受信端において図４と共に与えられる
。
もちろん、受信端において、発明に従う処理は、既述の処理によってＳＩＤフレームを送ることを含んでいると示される。
図４を参照して、発明に関する処理は、各連続的無音記述フレームに対してステップ２００において復号化済みのパラメータを生成するために、快適ノイズを記述する符号化済みのパラメータの組を復号化し、それから、音声複合化器のレベルで復号化済みのパラメータを処理した後、音声複合化器がステップ２０１において対応する快適ノイズを合成することを可能にするようなパラメータを合成することとから成る。特に、復号化済みのパラメータの処理は適当な特別の再符号化からなることが可能だと示している。
【００１７】
一般に、快適ノイズを生成する処理は、本発明の主題であり、それぞれ送信端と受信端とで用いられる音声符号化器と音声復号化器とが予測型である場合に、有利に実施されると示している。
そのような場合には、復号化された信号は励起信号にフィルタを掛けることにより得られ、この信号は今後ＬＰＣフィルタと呼ぶところのＬＰＣ合成フィルタによって、新規の辞書と随意に長期励起とから始まる。
本発明の主題である処理は、快適ノイズを作るために信号の合成を実行することを可能にするところのＬＰＣフィルタを励起するために、白色ノイズに似た特徴のスペクトルを持つ励起信号を生成することから成る。
そのような場合には、環境ノイズのスペクトルを表すパラメータは、スペクトルの包絡線に対してＬＰＣフィルタの係数によって、また上記のスペクトルのレベルに対して励起信号のエネルギーによって与えられる。
【００１８】
本発明の主題である処理は、送信端において、図２と共に既述の必須ステップを再使用する。
そのような処理は、図５と共に記述し表現されており、ここでは無音記述フレームの送信に関する動作に関連して指標’が付けられている同様のステップを含んでいる。
図５で表される発明による処理の実施の特別なモードに従って、実施される処理は、片方でＬＰＣフィルタの不動性あるいは他方で励起エネルギーの不動性に対してＳＩＤフレームを送信するかあるいはそのようなフレームを送信しないかという決定の基準を作る。
このようにして、ステップ１００’の最初のＳＩＤフレームの送信に続いて、図５に実施され記述されている処理はＦｃと表されている現フレームのＬＰＣフィルターを１０１’の現フレームＦｃと比較し、また１０２’の現フレームＦｃをステップ１０３’に従い先行するＳＩＤフレームの間に得られ蓄積される基準フィルターＦｒと比較することにある。
【００１９】
ステップ１０２’で先述のフィルタが同一でない場合はステップ１００’において新しいＳＩＤフレームが送信される。ステップ１００’，１０１’，１０２’，１０３’は実質的に図２のステップ１００，１０１，１０２，１０３から変更されない。
反対に、もし現フィルタに関するフィルタＦｃと基準フィルタに関するフィルタＦｒとが同一であるなら、図５に描かれている実際の処理は、ステップ１０４’ａにおいて現フレームの励起エネルギーの見積りをし、ステップ１０４’ｃにおいて上述の現フレームの励起エネルギーＥｃを先行するＳＩＤフレームの間に見積もった基準エネルギーＥｒとを比較することにある。この見積りは図５中のステップ１０４’ｂとして表されている。
【００２０】
ステップ１０４’ｃのテストに応じて現フレームの励起エネルギーと基準エネルギーとの比較が重要である場合には、この比較はしきい値Ｅ０に関するこれらのエネルギーの差異の比較にあり、その処理は前に記述されているステップ１００’へと帰ることにより新しいＳＩＤフレームを生成し送信することにある。逆に、もしステップ１０４’ｃのテストに応じて、上述の励起エネルギー間の差異が重要でない場合には、その処理は図２中のステップ１０４ｄと同様にステップ１０４’ｄにおいてフレームの送信を遅らせることにある。
図５に表されている本発明の主題である処理の実施の文脈において、ＬＰＣフィルタの比較をするために、特にＬＰＣフィルタを量子化するベクトル法によって実施される距離の判断基準を用いることが可能であると示される。上述の距離は、板倉−斉藤距離や最大可能性の距離や、例えばＬＰＣ係数や組になったスペクトル・ラインや対数領域から発するパラメータに渡って計算されるユークリッド距離から成ることが可能である。
【００２１】
励起信号のエネルギー不動性の特徴に関して、人間聴取システムの感度の直線性の欠如は、符号化器で使われる利得量子化器において開発される。この理由により、上に書かれている符号化の手続きは、好ましくは、現フレームの励起エネルギーＥｃと、これらのエネルギーの量子化索引を基礎に基準エネルギーＥｒとを比較する。手順を単純化するために、使われている量子化器はＳＩＤフレーム中の符号化済みのエネルギーの計算に役立つ。
ＬＰＣフィルタやＳＩＤ無音記述フレームの励起エネルギーを見積もったりする手続きは、後の記述において対応する快適ノイズ生成器の特別な具体例の状況で書かれる。
励起信号の計算に関して、本発明の主題である処理は、ホワイトノイズのと似た特徴を持つスペクトルを備え平均エネルギーが復号化器に送信されるような励起信号を生成することを要求し、この励起信号を合成する簡単な方法は単一の確率濃度を持ち振幅を与えられ、例えば送信されたエネルギーから計算されることにある。
【００２２】
他の方法は、音声符号化器に用いられたのと同じ種類の無作為に描いた励起によって合成することにあり、この二番目の方法の長所は受信部の復号化器の外部にモジュールを構成する可能性にある。他方、知覚的見地から言って、先行する復号化済みのフレームの中断の危険性はより小さいが、これは励起がタイプを突然変えることは無いからである。二番目の上述した方法の元の具体化は対応する装置の特別な具体例の状況における記述の中で後に記される。
本発明の主題に従って不連続な音声のディジタル送信のためのシステムにおける快適ノイズの生成の装置に関して、この装置はもちろん上述したようにそのような快適ノイズを生成する処理を実施するものであるが、より詳細な記述は図６と共に与えられる。
かくして、特に図６で描かれているように、上述の装置には、符号１の音声符号化器を組み合わされて、モジュール２があり、これは各有効期間に続く検出期間の間、各有効期間の終わりを検出するものである。例えば、モジュール２は従来からのタイプであり音声符号化器１と接続され論理信号を与えるような音声活性符号化器から成るが、この論理信号はＶＡＤｉｎと記され、符号化済みの音声フレームが送信されるところの活性期間と無音記述フレームが送信されるところの不活性期間もしくは逆にフレームが送信されないような期間を示す。
【００２３】
さらに、同じ図６に描かれているように、符号３のＣＮＧ生成器が一方で音声符号化器１と組み合わされ、他方で音声活性モジュール２と組み合わされる。多重化器４は、一方で音声符号化器１から与えられる符号化済みの音声フレームを受け取り、またＣＮＧ生成器３から与えられる符号化済みの無音記述フレームやＳＩＤフレームから成る信号を受け取るが、後者の信号はそれぞれこの同じＣＮＧ生成器３により与えられる送信のタイプを表す信号とＶＡＤｏｕｔとである。  概して、本発明の主題である図６に描かれるような装置は、発明に従って処理と共に記述される手続きの原理を再使用する。ＣＮＧ生成器３は、無効期間の間に快適ノイズを記述する符号化済みのパラメータの組から成る無音記述フレームを生成し、条件によっては送信するモジュール３ａと、現無効フレームの各々の周波数スペクトルを分析し蓄積するモジュール３ｂと、現無効フレームの周波数スペクトルを基準用と現フレーム周波数スペクトルとが同一であるか否かによって特別な命令信号を与えるような基準周波数スペクトルとを比較するモジュール３ｃと、それぞれ送信されないフレームと無音記述フレーム目印の有効フレームを符号化する３レベルを備えた信号ＶＡＤｏｕｔを毎フレーム与える現フレームに対し送信タイプを見積もるためのモジュール３ｄとを含んでいる。
【００２４】
モジュール３ｄは片方で音声活性を検出するモジュール２により作られる信号を受信し、他方で下で示されるようなモジュール３ｃにより作られる比較信号を受信する。現フレームが有効である時、モジュール３ｄは信号ＶＡＤｏｕｔのこの目印を再送信する。別な方法で、現フレームが有効期間の最初の無効フレームである場合、モジュール３ｄは信号ＶＡＤｏｕｔに無音記述フレームの目印に対応する値を割り当て、こうして、新らしい無音記述フレームの送信を許可する。もし、現フレームが無音記述フレームであり、しかし無効領域の最初の無効フレームでない場合は、モジュール３ｃは現フレームの周波数スペクトルを基準周波数スペクトルと比較し、これらのスペクトルが同一であるか否かにより、それぞれ、送信されないか無音記述フレームの目印かを表す信号ＣＭＰを与える。この場合には、信号ＣＭＰに基づいてモジュール３ｄは、送信の合図の信号ＶＡＤｏｕｔを符号化し、これは基準用と現フレームの周波数スペクトルが同一である時に送信を延期し、かつ、これらのスペクトルが同一でない時に新しい無音記述フレームの送信を実行することを可能にする。
【００２５】
モジュール３ａと３ｂは音声符号化器と、ある数のＳｇと表される音声符号化器管理信号を交換する。入力において、これらのモジュールは周波数スペクトルの評価ができるようなデータを受け取るが、モジュール３ｂは現フレームのデータを、モジュール３ｃは現フレームの前のある数のデータを受け取り、出力において、音声複合化器の要求に応じて、モジュール３ａは、音声複合化器に適切なように信号を転送し、この信号は受信端に置かれた音声符号化器と非同期にならないようにメモリを再更新することが可能なものである。
入力において、モジュール３ａはモジュール３ｂで作られた現フレームの周波数スペクトルであるところの信号ＳＦｃをも受信する。
【００２６】
快適ノイズを生成する装置のより詳しい説明は図７と共に特別に有利な場合についてなされるであろう。この図において、音声生成器１は予測型の音声符号化器であり各音声フレームに対して、ＬＰＣフィルタ係数の数に基づいて定義されるところの分析等級ＭのＬＰＣ分析モジュールを含んでおり、特に音声信号の自動相関機能Ａｃｆの（Ｍ＋１）係数を作りだすが、パラメータＭはＬｐｃと表記されＬＰＣフィルタの代表であり、各フレームに対し先行フレームＬｐｃパラメータを用いて予測符号化の方法の助けを借りて符号化される。Ｌｐｃパラメータの予測符号化は現装置の動作には必要ではない、がそれでも後者の設計には再衝撃がある。パラメータＬｐｃの予測符号化を使わない符号化器の場合には、装置の簡略化がたやすく可能である。
音声符号化器１は、合成化分析手法の助けを借りて、例えば後に続くＥｘｃと表記される励起信号を計算し蓄積するが、これはＬＰＣ合成フィルタを励起するために複合化器において計算されるものと同一である。
【００２７】
図７は、上で図６において表現された装置の一般的なアーキテクチャを再使用している。ＣＮＧ生成器３は予測型の音声符号化器１から、音声信号の自動相関機能Ａｃｆと、先行フレームのパラメータＬｐｃと、適切には励起信号Ｅｘｃを部分的に構成し先行フレームから発せられる励起信号Ｅｘｃ（ｎ）のある数のサンプルとを受信する。上記のサンプルの採用は快適ノイズの合成に関して、予測型符号化器の長期予測に使われていると述べられている。
本発明の主題に従って実施されているＣＮＧ生成器３のより詳細な記述は図８と共になされるであろう。この具体化は音声符号化器が予測型である場合に対応する。
このようにして、図８で分かるように、本発明の主題である装置と特にＣＮＧ生成器３にはモジュール３０が含まれ、これは現フレームに関するパラメータを計算し、音声信号Ａｃｆに対する自動相関機能信号を受信し、出力として現フレームＰｃのパラメータに対応する信号を作り出す。これらのパラメータは現フィルタＦｃと現励起エネルギーＥｃとを含んでいる。
【００２８】
ＣＮＧ生成器３はまた図８に示すように、決定用モジュール３１を含んでおり
、これは符号化済みのフレームもしくは無音記述フレーム、ＳＩＤフレームを送信し、あるいは送信を止めて音声活性信号ＶＡＤｉｎと現フレームＰｃに関するパラメータと後に記すモジュール３２により与えられる基準用パラメータＰｒとを受信する。このモジュール３１は３レベルを持ちＶＡＤｏｕｔと記されるところの送信タイプ信号を出力するが、最初のレベルはＶＡＤｏｕｔ＝０で現無効フレームの間に送信が全く無い場合のものであり、すなわちＶＡＤｉｎ＝０は音声活性検出モジュール２により与えられる信号であり、二番目のレベルはＶＡＤｏｕｔ＝１で活性期間の間の符号化済みの音声フレームの送信に対応し、三番目のレベルはＶＡＤｏｕｔ＝２で無効期間中のＳＩＤフレームの送信に対応し、すなわちＶＡＤｉｎ＝０である。
【００２９】
ＣＮＧ生成器３はまた、条件によって入力信号ＶＡＤｏｕｔに基づいて、各ＳＩＤフレームで計算される基準用パラメータＰｒに対応する信号を計算するようなモジュール３２を含んでいる。これらのパラメータは基準用フィルタＦｒと基準用励起エネルギーＥｒとを含んでいる。このモジュールは入力として自動相関信号Ａｃｆと現フレームＰｃのパラメータとを受信する。
ＣＮＧ生成器３は次にモジュール３３を含み、これは符号化済みの形式で無音記述フレームＳＩＤを生成し、送信タイプ信号ＶＡＤｏｕｔと基準用パラメータＰｒに対応する信号と、条件によっては符号化済みの無音記述フレーム信号を与える。
ＣＮＧ生成器３は次にモジュール３４を含み、このモジュールは励起信号Ｅｘｃを生成し、送信タイプ信号ＶＡＤｏｕｔと基準用パラメータＰｒに対応する信号とそれに特例として採用された生成方法に従ってある数の音声符号化器により与えられる励起信号の過去のサンプルであるＥｘｃｐａｓとを受信する。このモジュールは条件によっては信号ＶＡＤｏｕｔに基づいて現フレームＥｘｃのための励起信号を与える。
【００３０】
ＣＮＧ生成器３は最後にモジュール３５を含み、このモジュールは再更新されたフィルタ用パラメータＬｐｃを記述する信号を生成し、送信タイプ信号ＶＡＤｏｕｔと基準用パラメータＰｒに対応する信号と音声符号化器により与えられる信号とを受信し、先行フレームのパラメータＬｐｃを記述しＶＡＤｏｕｔの条件によりこの信号を現フレームＬｐｃｒに合わせ再更新する。
ＣＮＧ生成モジュール３の動作は以下の様である。
入力において、ＣＮＧ生成モジュール３は音声活性検出複合化器２により与えられるフレーム０が無効でフレーム１が有効だという目印のＶＡＤｉｎを受信する。このモジュールはまた音声符号化器モジュール１から各フレームに対して以下のものを受信する。
−  現フレームの音声信号のための自動相関機能信号Ａｃｆ、
−  少なくとも先行フレームに関するパラメータＬｐｃを記述し、Ｌｐｃを参照し少なくとも符号化器１の先行フレームのパラメータＬｐｃに対応するような信号、ここでパラメータは音声符号化器の予測量子化器により使用される、
−  適切な過去の励起信号。
【００３１】
ＣＮＧ生成モジュール３は出力として各フレーム毎に先述した３レベルの送信タイプ信号ＶＡＤｏｕｔを作り出す。
無音記述フレームＳＩＤに対して、ＣＮＧ生成器３はさらにＳＩＤフレームを構成するところの無音を挿入する符号化済みのパラメータを作り出す。
無効フレームに対して、すなわち音声活性モジュール２により与えられる活性信号ＶＡＤｉｎは０に等しい時、ＣＮＧ生成モジュール３は追加として適切に現フレームＥｘｃに対する励起信号と再更新されたパラメータＬｐｃに対する信号Ｌｐｃｒとを供給する。
ＣＮＧ生成器３の総合的な動作は以下のように要約できる。
−  もし信号ＶＡＤｉｎが１に等しいなら、そのフレームは有効でありＣＮＧ生成器３は単にＶＡＤｏｕｔ＝１であるこの目印を通り過ぎる。
−  そうでないとモジュール３０は最初に現フレームＰｃに関してパラメータを評価する。
【００３２】
次に、モジュール３１は現フレームが送信されるべきか送信されるべきＳＩＤフレームを構成するのかを決定する。
−  もし現フレームが有効期間後の最初の無効フレームであるとすると、これはＳＩＤフレームであり、
−  さもないと、モジュール３１はモジュール３２により作られた基準用パラメータＰｒを使い先行ＳＩＤフレームにおいて基準用パラメータを計算し現フレームがＳＩＤフレームであるかどうかを確定する。
もし現フレームがＳＩＤフレームであるなら、ＶＡＤｏｕｔ＝２であり、そうでないときはＶＡＤｏｕｔ＝０である。
上記の両方の場合において、すなわちＶＡＤｏｕｔ＝０または２なら、モジュール３４は現フレームＥｘｃに関して励起信号を生成しそして更新し、モジュール３５はパラメータＬｐｃの代表的信号を更新する。
符号化済みの音声フレームあるいは無音記述フレーム，ＳＩＤフレームの送信用もしくは送信の停止を決定するモジュール３１の動きのモードのより詳細な記述は、図９と共に与えられる。
【００３３】
先行フレームに関する信号ＶＡＤｉｎのテスト１０２０は、ｔ−１の指標が付いて、現フレームが最初の無効フレームかどうかを決定する、つまり、ＶＡＤｉｎ（ｔ）＝０に対しＶＡＤｉｎ（ｔ−１）＝１の時、１０２１において信号ＶＡＤｏｕｔ＝２となる、すなわちＳＩＤフレームを送信する決定を行う。
逆に、テスト１０２０に対してＮＯの場合には、すなわちＶＡＤｉｎ（ｔ−１）＝０の時、先行フレームは無効で現フレームに関するＬＰＣフィルタは式（５）からステップ１０２２で計算される。
【数３】
2004177978.tif 000005
この式において、係数ａｔ（ｉ）は前に述べた自動相関信号Ａｃｆの自動相関係数から計算されるＬＰＣフィルタの係数を示すとされ、ｉは各係数の指標を示す。
【００３４】
このフィルタの値は先行ＳＩＤフレームの間、蓄積される転送機能Ａｒｅｆ（ｚ）を持った基準用フィルタと比較されるが、これは発明に沿って処理の実施に関連して前記してある。この比較は上述した板倉−斉藤距離の助けを借りて達成される。この距離はしきい値と比較され、これは対数の計算の必要がなくなり、割算を排除でき、しきい値との比較は下の式（６）により実行される。
【数４】
2004177978.tif 000006
上述の式において、Ｅｒｒｔは残りのＬＰＣ信号の２乗の和である、現フレームの残りのＬＰＣエネルギーを示し、この残りのエネルギーはレビンソン／ダービン法によりフィルタを計算するための手順によって得られ、ＲＡｒｅｆは式（７）を満足する基準用フィルタＡｒｅｆ（ｚ）の係数の自動相関から引き出される機能を示している。
【数５】
2004177978.tif 000007
【００３５】
式（６）において等しくないことが分かると、ＬＰＣフィルタは基準用フィルタに近いと認められず、現フレームは新しいＳＩＤフレームでありＶＡＤｏｕｔ＝２として定義される。
さもないと：同じステップ１０２２において、現フレームＥｔの励起エネルギーを見積もる処理が、ＬＰＣ残余エネルギーＥｒｒｔに基づいて行われる。現励起エネルギーの見積りを得るために、残りのＬＰＣエネルギーＥｒｒｔは学習により見積もられたＣＥと表される因子を乗ぜられる。これらのエネルギーの平均はｍフレームに渡って計算されるが、ｍは例えば１００ｍｓから２００ｍｓの時間間隔に対応した整数で、式（８）に従って量子化の処理が実行されＱ（．）と表記される。
【数６】
2004177978.tif 000008
ここで、ｉ（ｔ）は現フレームを構成するｍ個の連続的フレームの平均エネルギーを表す量子化指標を示しており、この演算は図９中のステップ１０２３において実行される。
【００３６】
上記のフレーム数ｍは各無効領域の初めに１に初期化され、指定された最大値までフレーム毎に足されていく。上記の演算１０２３には演算１０２４が続き、ここでは現フレームのＬＰＣパラメータと上で述べた基準用フィルターＡｒｅｆ（ｚ）を比較する。上記のテスト１０２４の答がＹＥＳなら、信号ＶＡＤｏｕｔはステップ１０２７において２に設定され、ＳＩＤフレームの送信を許可する。テスト１０２４への答がＮＯなら、テスト１０２５が実行され、このテスト１０２５は、先の式（８）で得られたエネルギーの平均の量子化値に対するテストであり、現フレームに対する量子化指標ｉ（ｔ）は先行するＳＩＤフレームの間に得られ式（９）によりＩｒｅｆと表される基準用フレームのそれと比較される。
【数７】
2004177978.tif 000009
【００３７】
テスト１０２５の答がＹＥＳなら、不等性が満足され、励起のエネルギー・レベルが変更され現フレームはＳＩＤフレームと定義される。
テスト１０２５の答がＮＯなら、現フレームは非送信フレーム１０２６と定義され、信号ＶＡＤｏｕｔは０に等しくなる。
無音記述フレームの動きのモードや符号化済みのＳＩＤフレームや生成モジュール３１のより詳しい記述は図１０と共に与えられる。
一般的に、ＳＩＤフレームを符号化するときには、新らしい基準用フィルターＡｒｅｆ（ｚ）が計算されると示されている。
最後に、この処理を実行するために、転送機能がＡｐａｓｔ（ｚ）と表される過去の平均的ＬＰＣフィルターがステップ１１００において式（１０）に従い評価される。
【数８】
2004177978.tif 000010
このフィルターは上でＡｃｆと表される現フレームに先行するところのＰ１フレームの信号自動相関の和によって計算される。このフィルターの係数の自動相関計算Ｒａｐａｓｔは上記の式（７）により与えられる方法に従って実行される。
【００３８】
局所的な不動性のテストは図９と共に記されたテスト１０２４と同様の方法で上で述べた式（４）に従って１１０１において実行される。テスト１１０１に対するしきい値はしきい値１に等しい特殊な値である。上記のテスト１１０１の答がＹＥＳならば、ステップ１１０３は、式Ａｒｅｆ（ｚ）＝Ａｔ（ｚ）に関する基準用フィルターとして現フィルターを選ぶことが可能になり、基準用フィルターＲＡｒｅｆの新しい自動相関機能が計算される。
テスト１１０１の答がＮＯならば、過去の平均フィルターが式Ａｒｅｆ（ｚ）＝Ａｐａｓｔ（ｚ）に従って基準用フィルターとして選ばれ、基準用フィルターの係数の自動相関機能が式（Ａ）に従い、再更新される。
ＲＡｒｅｆ（ｉ）＝ＲＡｐａｓｔ（ｉ），ｉ＝０→Ｍ．  −−−  式（Ａ）
【００３９】
量子化ステップ１１０４は、先に選ばれた基準用フィルター１１０４を表すパラメータに基づいて行なわれ、量子化処理は符号化器により使われる手順に従って実行され、こうして得られた符号は符号化済みフレームへと挿入される。
ステップ１１０５において、１０２３で既に計算され量子化された励起エネルギーが対応するＳＩＤフレームに挿入され、基準用エネルギーＩｒｅｆとして蓄積される。
励起信号の合成に関して、Ｉｒｅｆは基準用エネルギーの量子化指標を表し、ｇｒｅｆは標本毎の平均エネルギーの２乗根に等しいところの再蓄積された利得を表し
、次の式（１１）を通して得られる。
【数９】
2004177978.tif 000011
ここで、Ｑ−１は逆量子化処理を示す。
現フレームの利得ｇｔは次により与えられる：
・無効期間の開始時に、ｇｔ＝ｇｒｅｆ
・無効期間中に、ｇｔ＝α×ｇｔ−１＋（１−α）×ｇｒｅｆ
この式において、αは０と１の間にある実数の係数である。
本発明の主題である処理の実施に関する記述中で上述した最初の方法において
、標本の無作為な引き出しによって励起信号の合成は実行され得る。この場合、フレームのＮ個の励起標本は［−ｇｔ×√３，ｇｔ×√３］の間に単一の方法の無作為生成器によって引き出される。
【００４０】
励起信号を合成する二番目の方法は、励起信号Ｅｘｃを特徴づけるパラメータの符号を無作為に引き出し、これらの符号を復号化器に直接与えることにある。この方法には、復号化器において快適ノイズ生成器を自主的に設置してもよいという長所があり、有効フレームと快適ノイズの間でトグルした時の励起信号中の考えられる不連続性を排除する。励起のパラメータ符号は、現フレームに合わせて復号化された励起エネルギーは必要とするエネルギーすなわち標本毎の平均エネルギーに対応するＮｇｔ２、ｇｔ２と、Ｎ個の標本がこのフレームを構成するために得るエネルギーを表Ｎｇｔ２とに対応するように適合させられなければならないであろう。最も簡単には、音声符号化器が長期予測を使用するとき、あるいは同じように過去の励起の標本を用いた適合化辞書を使用するとき、ＬＴＰ励起つまり長期予測励起の最小の量子化利得をを選ぶことによりこの励起を抑えるが、ここでの利得は一般にゼロもしくはほとんどゼロである。作られた励起は、事実上革新的なまでに減らされて、そのエネルギーは容易に制御される。しかし、多くの音声符号化器にとって、長期予測を抑えることにより、その特徴は白色ノイズとは異なるようなスペクトル的に貧弱な励起を作り出し、それによって復号化器によって合成される快適ノイズの品質は影響される。ＬＴＰ励起を使用し、ＬＴＰ励起と新規とを加えることにより得られる総体的励起の利得を制御することが可能になる特別に有利な方法が図１１と共に記される。
【００４１】
この方法に関して、最初に述べておきたいのは、音声符号化器はＣＮＧモジュール３に対して過去のフレームから発したＥｘｃｐａｓ励起信号の標本いくつか分、先行していなければならず、この信号は図８において、点線により表現されている。
この具体化において、Ｎ個の標本のフレームは励起パラメータが計算され符号化されるところのＬ個の標本のＮ／Ｌ個のブロックに分割される。音声符号化器の要求によって、これらのブロックは再分され、長期励起の符号の計算期間は必ずしも新規発明のそれとは対応しない。
【００４２】
図１１において、ステップ１２０１はＮ／Ｌ個の標本の完全さに関連して計数用変数ｊを０に初期化することを可能にする。
ｎが０からＮ−１までの標本Ｅｘｃ（ｎ）の標本から成る励起信号Ｅｘｃは、現フレームに対してｅＬＴＰ（ｎ）と表される長期予測励起と、βｕ（ｎ）と表されるところでｕ（ｎ）は新規波形を表しβは逆量子化後の利得を表す新規励起との線形結合として定義され、各ブロックに対し、上記の利得はこのように作られた励起エネルギーを制御するような方法で調整するよう求められる。
指標ｊの各ブロックに対して、長期励起のパラメータの符号はステップ１２０２において無作為に引き出される。後者のエネルギーを制限するために、長期励起の利得符号に対して強制は好ましい。信号ｅＬＴＰ（ｎ）のＬ個の標本は、ｋが０からＬ−１まで変化するところのｎ＝ｊＬ＋１を用いて、ブロック全体に渡り音声符号化器に与えられる過去の信号Ｅｘｃｐａｓの標本を用いることにより得られる。
【００４３】
次に、新規励起信号がステップ１２０３において、新規波形の符号を無作為に引き出すことにより得られる。ｋが０からＬ−１まで変化するｎ＝ｊＬ＋ｋを用いてブロック全体に渡って、波形のＬ個の標本が得られる。
ステップ１２０４では、新規励起の利得である量子化指標ｉｎｄと、従って逆量子化処理を通して関連する利得βとを求めることが可能である。ブロック全体に渡り求める値ｇｔ２にできるだけ近い標本あたりの平均エネルギーを得ることを可能にするような指標が式（１２）によって選ばれるであろう。
【数１０】
2004177978.tif 000012
ここで利得βは新規発明の励起利得の量子化器の復元値の組を通り抜ける。
現方法の変形は、長期励起と新規励起の利得がベクトル量子化器により一緒に量子化されるような場合に、以下のようになる：ステップ１２０２において、励起ｅＬＴＰ（ｎ）はＬＴＰ遅延を表す符号を無作為に引き出すことにより利得を１に等しくする。式（１２）は式（１３）へと変更される。
【数１１】
2004177978.tif 000013
逆量子化された利得β１，β２はベクトル量子化器の辞書を調査することにより二つ一緒に選択される。
【００４４】
ステップ１２０４の後にはステップ１２０５が続き、ここでは現ブロックの標本に対してＥｘｃを計算することにより励起信号Ｅｘｃが更新される。計数変数ｊの増加を行うステップ１２０６に続く、ステップ１２０７におけるこのｊの値のテストにより、フレームを構成する標本の組に対する励起信号を得る作業を終えることが可能になる。
受信端における不連続音声のディジタル送信システムにおける快適ノイズの生成用装置のより詳しい記述は図１２と１３と共に与えられる。
図１２に表されるように、この装置は受信端においてモジュール５を持ち、このモジュールは快適ノイズあるいはより特別には連続する各無音記述フレームにおいて、この快適ノイズを記述する符号化済みパラメータの組を復号化することが示される。
【００４５】
このモジュール５は音声復号化器と組み合わせられ、これはこのモジュール５により処理される現フレームのタイプに関連する合図を受信し、これはＶＡＤと表記され、送信端において符号化済み無音記述フレームやＳＩＤフレームと同様に生成される３レベルの信号ＶＡＤｏｕｔの合図を再生産する。さらに、復号化器との同期を確かにする管理信号Ｓｇを音声復号化器から受信する。
モジュール５は現フレームに関する快適ノイズＰＢｃを記述するパラメータを作るのを可能にする。
一方で、音声信号復号化器は符号化済み音声フレームを受信し、他方で、現フレームに関する快適ノイズＰＢｃのパラメータを記述する信号を記述する。また
、上図においてｄｅｃｏｄｅｄ  ｓｉｇｎａｌと名付けられた合成済み音声信号を合成により与える。
図１２に登場するモジュール５は図１２において音声信号復号化器が予測型復号化器により構成されるような場合についてより詳しく記述される。復号化モジュール５は、少なくとも、一つの逆多重化器５０があり、送信済みの符号化済み無音記述フレーム信号を受信し、ＬＰＣフィルター用パラメータを記述する符号化済み信号を与えるが、この信号は合成済みの励起信号のレベルを記述するところの量子化済み利得指標信号ｉｒｅｆと同様に、図１３において、Ｌｐｃｃと表される現フレームに関連する。
【００４６】
さらに、逆量子化モジュール５１が与えられるが、これは上記の量子化済み利得指標信号を受信し、ｇｒｅｆと表される逆量子化利得信号を与える。
計算モジュール５２が与えられるが、これは現フレームに関連してＬＰＣフィルタ用パラメータを記述しＬｐｃｃと表される符号化済みの信号と、ＬＰＣフィルター用パラメータを記述し少なくとも先行フレームに関するところのＬｐｃと表される信号と、ＶＡＤと表されるフレーム送信タイプ・キューとを受信する。計算モジュール５２は、更新済みのＬＰＣ信号を現フレームのＬＰＣパラメータと共に与える。
【００４７】
最後に、励起生成モジュール５３が与えられるが、これは逆量子化利得信号ｇｒｅｆと、もし適切なら過去の励起信号と、フレーム・タイプ・キューＶＡＤとを受信し、現フレームＥｘｃに関する励起信号を与える。
復号化モジュール５は、フレームが有効でない時にのみ動作する。
入力において、モジュール５は、０の時非送信フレーム、２の時ＳＩＤフレームであるような信号と、フレームがＳＩＤフレームの時にそのフレームの符号化済みパラメータとを受信する。音声復号化器は他方で以下のデータを供給する：  −  少なくとも予測型の量子化器により使用される先行フレームに関するＬＰＣパラメータと、先行フレームのこれらのＬＰＣパラメータに関するところのＬｐｃと表される信号、
−  過去の励起信号Ｅｘｃｐａｓと、長期予測器の記憶蓄積。
出力として、復号化モジュール５は各無効フレームに対して、励起信号ＥｘｃのＮ個の新しい標本と逆量子化の後のＬｐｃと表される新しいＬＰＣパラメータとを作り出す。
【００４８】
音声復号化器はこれらのデータを使って無効フレームの合成を実行する。
信号ＶＡＤ＝２の時、ＳＩＤフレームのパラメータＬｐｃｃと量子化済みのエネルギーのためのｉｒｅｆとが復号化され蓄積される。このステップにおいて蓄積されるパラメータはＬｐｃｒｅｆとｇｒｅｆと表される。
ＶＡＤ＝０の時、計算用モジュール５２は復号化器により与えられる過去のパラメータＬｐｃを用いてＬｐｃｒｅｆに量子化と逆量子化をすることによりＬＰＣパラメータの新しい組を計算するが、逆量子化された利得ｇｒｅｆは変更されず、また現フレームｇｔに関する利得は上で述べられた式によって更新される。
双方の場合において、モジュール５３は現フレームに関する新しい励起Ｅｘｃを上述の一つあるいは他の方法により計算し、それを音声復号化器に送信するがここでは無効フレームの復号化済み信号の合成を行う。
【００４９】
快適ノイズ復号化モジュール５は総合的に自律的であり復号化器の外部に導入可能であると示されるであろう。この場合において、使用される手続きは、このモジュールへ復号化器の基本的な機能を移すことにより同じである。
最後に、特殊な具体化において、ここで上述したパラメータの実際の値は以下の表のようであり、周波数８ｋｈｚにおいて取った１フレームＮ＝２４０個の標本に対するものである。
【表１】
2004177978.tif 000014
更新因子ＣＥと上記の値はＩＴＵにより標準化されているＧ７２３予測型符号化器に応用されているが、これはＳＴＮビデオ電話法の予測型符号化器である。
不連続音声のディジタル送信のための装置において快適ノイズを生成する高性能の処理と装置はこれで記述された。
【００５０】
本発明の主題である処理と装置は、無効期間の間の信号の分析に基づいて、後者の特性が変わった時にノイズを再生成するのに使われるところのパラメータをリフレッシュする手続きが実行される限りにおいて特別に有利である。ＳＩＤフレームをすばやく処理することは最初の無効フレームに限定されないし、定期的に再生産もされず、装置そのものにより命令され、このようにして送信されるべきデータ量を最適化している間の快適ノイズの良質を保証することを可能にしている。
それらは、ＳＩＤフレームを作ることができるようなパラメータを見積もるために、後者の変更を元に戻すところの環境ノイズの不動性の有無を考慮する効果的な方法を実施する時に顕著である。
エネルギー不動性の見積りのための予測型音声符号化器に関連するより特殊な場合において、本発明の主題である処理は量子化済みの励起信号のエネルギーの比較を行い、そうして量子化器の知覚的特質から簡便な方法で効果を得ることを可能にしている。
【００５１】
最後に、励起波を合成する二番目の方法を実施する場合において、本発明の主題である処理が新規の辞書に加えてＬＴＰ適合化辞書を使う手段を提案しており
、送信されるエネルギーに利得を合わせられるよう方法が開発される。こうして作られた励起波形は一般に新規辞書のみを用いるものよりも豊富なスペクトルを持っている。
最後に、全体に、より良質のノイズを実施し生成することができ、これは平均送信速度が低い時にも計算の中庸な複雑さを犠牲にして合成される。
【図面の簡単な説明】
【００５２】
【図１】従来例の構成説明図である。
【図２】送信端において、本発明の主題に従って快適ノイズを生成する処理を実施する必須のステップの連続である。
【図３】フローチャート形式の、快適無音記述フレームの一実施モードである。
【図４】受信端において、本発明の主題に従って快適ノイズを生成する処理を実施する必須のステップの連続である。
【図５】音声復号化器が予測型でありＬＰＣフィルタを使用している場合の、快適ノイズを生成する処理を実施する必須のステップの連続である。
【図６】送信端において、本発明の主題に従って快適ノイズを生成する装置の機能ブロックの形式による図である。
【図７】送信端において、本発明の主題に従って快適ノイズを生成する装置の機能ブロックの形式による図であり、音声符号化器が予測型であるところのより特殊な場合である。
【図８】図７で表した装置の中で使われている快適ノイズ生成器の具体例の詳細を示している。
【図９】機能フローチャート形式で、無音記述フレームに対し送信／非送信の命令信号を生成する連続的ステップの組を示している。
【図１０】機能フローチャート形式で、無音記述フレームの生成と符号化と送信とを行う連続的ステップの組を示している。
【図１１】機能フローチャート形式で、一実施形態に従い、励起信号を生成する連続的ステップの組を示している。
【図１２】機能ブロックの形式で、受信端において実施形態の主題に従って快適ノイズを生成する装置の図を示している。
【図１３】図１２で表した装置の中で使われている快適ノイズ生成器の具体例の詳細を示している。
【符号の説明】
【００５３】
１…音声符号化器
２…ＶＡＤ（音声活性化符号化器）
３…ＭＵＸ（多重化器）
４…ＣＮＧ生成器
【図１】
2004177978.tif 000017
【図２】
2004177978.tif 000018
【図３】
2004177978.tif 000019
【図４】
2004177978.tif 000020
【図５】
2004177978.tif 000021
【図６】
2004177978.tif 000022
【図７】
2004177978.tif 000023
【図８】
2004177978.tif 000024
【図９】
2004177978.tif 000025
【図１０】
2004177978.tif 000026
【図１１】
2004177978.tif 000027
【図１２】
2004177978.tif 000028
【図１３】
2004177978.tif 000029